(57)【要約】【課題】  本考案は、人体の腋下部に生地をほぼ密着させることで汗の吸収を促進させ、肩線部に機能性を施すことで、腕を前に出した時に人体に生じる不具合を解消する、衣類を着用したまま脱衣ができる下着を提供するものである。【解決手段】  本考案は、衣類を着用したまま脱衣が出来る下着において、下着の脇下部が人体の腋下部にほぼ密着し、下着の肩線部に係止部を有し、その肩線部に開口部を有することを特徴とする下着に関するものである。【選択図】図１
0003180290.tif 000002
【実用新案登録請求の範囲】
【請求項１】
衣類を着用したまま脱衣が出来る下着において、下着の脇下部が人体の腋下部にほぼ密着し、下着の肩線部に係止部を有し、その肩線部に開口部を有することを特徴とする下着。
【請求項２】
前記下着の脇下部と後身頃部に、汗を吸収しやすい生地を配置したことを特徴とする請求項１に記載の下着。
【請求項３】
前記下着の後身頃部に、吸湿発熱する生地を配置したことを特徴とする請求項１に記載の下着。
【考案の詳細な説明】
【技術分野】
【０００１】
本考案は、衣類を着用したまま脱衣ができる下着に関するものである。
【背景技術】
【０００２】
従来より、運動や気温が高い状況下における発汗時に、下着に汗を含み、放置することによる体の冷えへの対処や不快感への簡便かつ迅速な対処として、上層の衣類を着用したまま下着を容易に取り除く事が課題であった。
そして、この衣類を着用したまま下着を容易に取り除く手段としては、従来より多くの検討が行われている。
例えば、長方形の形状で、着衣した際、肩線部を境に前後に分けられ前面部と背面部と、その中央に着衣する際に頭及び首を挿入する挿入部を有し、前面部と背面部は肩線部において繋がっており、前面部と背面部は脇部において開放されているような、衣類を着用したまま脱衣ができる下着についての開示がある（特許文献１）。又、特許文献１と同じような形状であるが、肩線部は縫着又は連続した生地で繋がっておらず、面ファスナー等の係止部で連結されている下着についても開示がある。（特許文献２）。
【特許文献１】特開２０１０−０５３４８５号公報
【特許文献２】特開２００５−０４２２７２号公報
【０００３】
しかし、前記特許文献1に記載された下着では、脇部において開放されているという構造のために、人体の腋下部に汗を吸収させる生地を密着させられないといった問題点があった。
また、特許文献２に記載された下着では、肩線部に面ファスナー等の係止部を用いて係止と開放ができるようにすると、肩線部に面ファスナー等の係止部を取り付けることにより、その部分の硬さが増すことになる。さらには人体は、腕を前に出したとき、胸鎖関節と肩峰との幅が狭くなるので、肩線部が硬ければ、肩線部の硬くなった係止部を含む生地が、人体に沿わず、人体から凸状に離れるか凹状に食い込んでしまい、圧迫感やごわつき等の違和感につながるという問題点があった。
【考案の概要】
【考案が解決しようとする課題】
【０００４】
本考案は、前記従来の問題を解決するため、衣服を着用したまま容易に脱衣が可能であり、更には汗処理機能と着用感を向上させた下着に関するものである。
【課題を解決するための手段】
【０００５】
以上の課題を解決する為に、請求項１の考案は、衣類を着用したまま脱衣が出来る下着において、下着の脇下部が人体の腋下部にほぼ密着し、下着の肩線部に係止部を有し、その肩線部に開口部を有することを特徴とする下着とした。
【０００６】
また、請求項２の考案は、前記下着の脇下部と後身頃部に、汗を吸収しやすい生地を配置したことを特徴とする下着とした。
【０００７】
さらに、請求項３の考案は、前記下着の後身頃部に、吸湿発熱する生地を配置したことを特徴とする下着とした。
【考案の効果】
【０００８】
本考案にかかる下着は、上記の構成とすることにより、人体の腋下部に生地をほぼ密着させることで汗の吸収を促進させ、肩線部に開口部を設けることで、腕を前に出した時に人体に生じる不具合を解消する、衣類を着用したまま脱衣ができる下着である。
【図面の簡単な説明】
【０００９】
【図１】図１は、本考案における１つの実施の形態における下着１の正面図である。
【図２】図２は、図１における下着１の背面図である。
【図３】図３は、図１の下着１の後身頃３の肩線部５にある係止部６を外した状態の正面図である。
【図４】図４は、図３の状態の下着１の背面図である。
【図５】図５は、図１における下着１の後身頃の裏側に当て布１５を縫着している図である。
【図６】図６は、図５の状態の下着１の背面図である。
【考案を実施するための形態】
【００１０】
本考案にかかる下着は、着用時の人体の腋下部に汗を吸収しやすい生地を配置し、着用時の腕付け根線の寸法と人体の腕付け根囲とをほぼ同じ寸法にすることにより、人体の腋下部に汗を吸収しやすい生地をほぼ密着できるようにしたものである。
また、肩線部に開口部を設けることにより、腕を前に出したときの、胸鎖関節と肩峰との幅が狭くなることによって、人体に対して凸状に離れたり凹状に食い込んだりする肩線部の硬くなった係止部を含む生地を取り除くことができ、腕を前に出したときに人体の鎖骨近傍に圧迫感やごわつき等の違和感が発生するという不具合を軽減させたものである。
更には、上着、シャツ等を脱がずに服の中で、肩線部の係止部を解放することにより、袖口までの肩線が解放でき、上着、シャツ等の裾より下または、上着、シャツ等の前身頃のボタンを数個はずした開口部より引き抜くことを可能としたものである。
【００１１】
また、前記下着は、好ましくは後身頃部の体表面側にも、汗を吸収しやすい生地を配置し、スポーツ時または気温の高い状況下において、背中にかいた汗の吸収を促進させ、更には気温の低い状況下では吸湿発熱する生地を配置し、保温効果を高めることを特徴としたものである。
【００１２】
以下、本考案の実施の形態について、図面を用いて説明する。
【００１３】
図１は、本考案における衣類を着用したまま脱衣ができる下着１の正面図である。
図２は、下着１の背面図である。
図３は、図１の下着１の後身頃３の肩線部５にある係止部６を外した状態の正面図で、図４は図３の状態の背面図である。
図５は、図１と図２の下着１の後身頃３の裏側に当て布１５縫着している図であり、図６は図５の状態の背面図である。
【００１４】
図１に示すように、下着１は、前身頃２、後身頃３、脇身頃４と肩線部５に係止部６を備える。
前身頃２は脇身頃４と縫着しており、脇身頃４は後身頃３と縫着している。
【００１５】
次に、前身頃２の肩線部５ａに前身頃２に向かって凸状に湾曲した開口部前身頃曲線７ａを設け、後身頃３の肩線部５ｂに後身頃３に向かって凸状に湾曲した開口部後身頃曲線７ｂを設ける。その前身頃２の肩線部５ａに係止部６ａ１、６ａ２を、後身頃３の肩線部５ｂに係止部６ｂ１、６ｂ２を縫着する。
【００１６】
また、開口部前身頃曲線７ａは、肩線部５ａにサイドネックポイント９から係止部６ａ１を縫着する寸法だけ空けて、前身頃２に向かって凸状に湾曲させて、ショルダーポイント１０から係止部６ａ２を縫着する寸法だけ間隔を空けて肩線部５ａに戻るように設ける。
【００１７】
更に、開口部後身頃曲線７ｂは、肩線部５ｂにサイドネックポイント９から係止部６ｂ１を縫着する寸法だけあけて、前身頃２に向かって凸状に湾曲させて、ショルダーポイント１０から係止部６ｂ２を縫着する寸法だけ間隔をあけて肩線部５ｂに戻るように設ける。
【００１８】
本考案において、下着１の脇下部である着用時の腋窩点１１が、人体の腋下部にほぼ密着する状態を作るには、着用時の肩峰点１０と着用時の腋窩点１１を通る着用時の腕付け根囲線１２の寸法が、人体の腕付け根囲の寸法に対して、８０％以上１２０％以下、さらに好ましくは９０％以上１１５％以下である。人体の腕付け根囲の寸法に対して、８０％との値はツーウェイトリコット生地の場合、ヌード寸法に通常使用される設計上の値であり、１２０％との値は、ほぼ密着する状態を経験上、着用時の腋窩点１１と人体の腋下部との距離を２ｃｍ程度として、着用時の腕付け根囲線１２の寸法が人体の腕付け根囲の寸法に４ｃｍ（着用時の腋窩点１１と人体の腋下部との距離を２ｃｍの倍）加えたものとして、その値を人体の腕付け根囲の寸法で割った値が１１０％前後になり、それに少し余裕をもたせているので、１２０％とした。着用時の腋窩点１１と人体の腋下部との距離、更には生地の伸縮率や人体、男女のサイズには個人差があるので、前記の比率は目安である。
【００１９】
また、開口部前身頃曲線７ａ、開口部後身頃曲線７ｂで設けた開口部７の肩線部５上の寸法は５ｃｍ以上１５ｃｍ以下が好ましい。こちらも、サイズには個人差があるので、前記の寸法は目安である。
【００２０】
さらには、肩線部５ａから前身頃２に向かって凸状に湾曲した開口部前身頃曲線７ａの深さは、前記開口部７の肩線部５上の寸法の半分を目安とし、２．５ｃｍ以上７．５ｃｍ以下とした。同じく、肩線部５ｂから後身頃３に向かって凸状に湾曲した開口部後身頃曲線７ｂの深さも、前記開口部７の肩線部５上の寸法の半分を目安とし、２．５ｃｍ以上７．５ｃｍ以下とした。こちらも、サイズには個人差があるので、前記の寸法は目安である。
【００２１】
また、係止部６はボタン、面ファスナー、ホックなど考えられる。開口部７をはさんだ肩線部５上に、係止部前身頃サイドネックポイント側６ａ１、係止部後身頃サイドネックポイント側６ｂ１と係止部前身頃ショルダーポイント側６ａ２、係止部後身頃ショルダーポイント側６ｂ２を設ける。係止部の数量は、開口部７をはさんだ肩線部５上に設けておれば、特に問わない。係止部６の前身頃２、後身頃３の縫着方法は、糸による縫製や、熱圧着法などが挙げられる。係止部がホックなどの場合は、かしめたりもする。かしめるとは、ホックなどの接合部分にはめこまれた爪や金具を工具で打ったり締めたりして接合部を固くとめることである。
【００２２】
本考案の下着１では、下着を構成する各部材を編み物で構成することが好ましい。前記編物の組織はどのようなものであっても良い。編物として一般的に良く知られているニット緯編み機によって編成される編物、及びラッセル経編機によって編成される編物、トリコット経編機によって編成される編物等であっても良い。
具体的な編物の組織としては、天竺、鹿の子組織等の丸編シングル編組織、スムース、リブ組織等の丸編ダブル編組織、ハーフトリコット組織等が挙げることができる。
【００２３】
シングル編組織は、表面を編成する編み針しか配されておらず、基本的には１層の編物しか編成できないが、１つの給糸口から表面を構成する糸、裏面を構成する糸を編機に給糸することで表面と裏面を異なる糸で構成することも可能である。例えば、天竺組織で表面にポリエステル糸、裏面にポリウレタン糸を配するといわゆるストレッチ天竺（ベア天竺）を編成することができる。
【００２４】
ダブル編組織は、表面を編成する編み針と裏面を編成する編み針の両方が編機に配されているので表面と裏面の２層の編物を編成でき、それぞれの編組織を変えることができる。例えば、表面に綿糸、裏面にポリエステル糸をメッシュ調に、表面、裏面をつなぐ糸にポリウレタンのポリエステルカバーリング糸を配すると、表プレーン裏メッシュの発汗時も肌にべたつきにくい編組織の生地を編成することができる。
【００２５】
また、前記編物は、ポリウレタン糸等の伸縮性を有する弾性糸を少なくとも一部に使用するとよりストレッチ性を有し、運動性が増す。
【００２６】
本考案の下着１では、下着を構成する各部材は、縫製によって一体化することが好ましい。縫製方法としては、本縫い、環縫い、１本針オーバーロック、２本針オーバーロック、フラットシーマ等の縫目を形成するミシンで縫着する方法が挙げられるが、縫目の種類は特にこれらに限定されるものではない。ただ、縫目もストレッチ性を有し、着用時の違和感を低減できる１本針オーバーロック、２本針オーバーロック、フラットシーマを採用するのが望ましい。
【００２７】
また、縫製に限らず接着によって、各部材を一体化することも可能である。接着方法としては、一体化したい二種類の部材にのりしろを設け、熱によって融解し、冷却後には生地に浸透して凝固するポリウレタン製の熱融解性のシームテープをのりしろの生地の間にはさみ、熱プレスすることで生地を接着できる熱圧着法が挙げられるが、縫着同様、のりしろにストレッチ性をもたせ、着用時の違和感をなくすことが望ましい。
【００２８】
さらには、上述の縫製方法と接着方法は複数の方法を組み合わせて用いることも可能である。
【００２９】
本考案において、汗を吸収しやすい生地とは、吸水しやすい綿糸を用いて構成した生地や、太さの異なるポリエステル糸で生地の密度を異なる形にして毛細管現象を発生させ、吸収された汗は肌面から生地の表面に移動させ拡散する生地などがある。綿とポリエステルを組み合わせてもよい。
【００３０】
また、吸湿発熱する生地とは、人体から発する水分を吸収し発熱する素材と綿またはポリエステル等で構成された生地である。人体から発する水分を吸収し発熱する素材としては、指定外繊維「ブレスサーモ」（商標登録第３２０８４９６他）等がある。
【産業上の利用可能性】
【００３１】
本考案の衣類を着用したまま脱衣が出来る下着は、運動や気温が高い状況下における発汗時に、有用な効果を示し、登山、トレッキング、ハイキング、スキー、スノーボード、スケート、野球、ゴルフ、ホッケー、サッカー、ジョギング、マラソン、テニス、バドミントン、スカッシュ、卓球などあらゆるスポーツに好適であるほか、一般の衣類としても有用である。
【符号の説明】
【００３２】
１  下着  
２  前身頃
３  後身頃
４  脇身頃
５  肩線部
５ａ  前身頃肩線部
５ｂ  後身頃肩線部
６  係止部
６ａ１  係止部前身頃サイドネックポイント側
６ａ２  係止部後身頃ショルダーポイント側
６ｂ１  係止部前身頃サイドネックポイント側
６ｂ２  係止部後身頃ショルダーポイント側
７  開口部
７ａ  開口部前身頃曲線
７ｂ  開口部後身頃曲線
８  サイドネックポイント
９  ショルダーポイント
１０  着用時の肩峰点
１１  着用時の腋窩点
１２  着用時の腕付け根線
１３  袖開口部
１４  袖開口部下
１５  当て布
【図１】
0003180290.tif 000003
【図２】
0003180290.tif 000004
【図３】
0003180290.tif 000005
【図４】
0003180290.tif 000006
【図５】
0003180290.tif 000007
【図６】
0003180290.tif 000008